(57)【要約】【課題】水洗大便器からの排水に他の機器からの排水を合流させることによりサイホン作用が弱められることが少ない排水ソケットを提供する。【解決手段】本発明は、水洗大便器（Ｂ）の排水路（Ｂ１）と他の排水（Ｌ）の排水路（Ｌ１）とを合流させ、床面（Ｆ）に設けられた排水配管（Ｄ）に連通させる水洗大便器の排水ソケット（１）である。この排水ソケットは、水洗大便器の排水路に接続されるソケット流入口（２ａ）を上端に備え、且つほぼ鉛直方向に延びる鉛直管路（２）と、この鉛直管路と排水配管とを接続し、横方向に延びる横管路（４）と、鉛直管路の周囲に形成され、且つ他の排水の排水路に接続される緩衝室流入口（６ａ）、及び、横管路上部に開口した合流出口（６ｂ）を備えた緩衝室（６）と、を有することを特徴としている。【選択図】      図１
2005048402.tif 000002
【特許請求の範囲】
【請求項１】
水洗大便器の排水路と他の機器の排水路を合流させこれらの排水路を床面に設けられた排水配管に連通させる水洗大便器の排水ソケットであって、
上記水洗大便器の排水路に接続されるソケット流入口をその上端に備え且つほぼ鉛直方向に延びる鉛直管路と、
この鉛直管路と上記排水配管とを接続し横方向に延びる横管路と、
上記鉛直管路の周囲に形成され且つ上記他の機器の排水路に接続される緩衝室流入口と上記横管路上部に開口した合流出口を備えた緩衝室と、
を有することを特徴とする排水ソケット。
【請求項２】
上記緩衝室は、その合流出口が、上記緩衝室流入口よりも低い位置に設けられており、上記緩衝室の底面が上記緩衝室流入口から上記合流出口の方へ傾斜している請求項１記載の排水ソケット。
【請求項３】
上記鉛直管路及び上記緩衝室は、内径の異なる円筒状の部材による入れ子構造となっている請求項１又は２記載の排水ソケット。
【請求項４】
上記緩衝室は、その緩衝室流入口を上記横管路が延びる方向とは反対の側に備えている請求項１乃至３の何れか１項記載の排水ソケット。
【請求項５】
上記緩衝室は、その合流出口を、上記鉛直管路から所定の距離間隔を隔てた位置に備えている請求項１乃至４の何れか１項記載の排水ソケット。
【請求項６】
水洗大便器の排水路と他の機器の排水路とを合流させこれらの排水路を床面に設けられた排水配管に連通させる水洗大便器の排水ソケットであって、
上記水洗大便器の排水路に接続されるソケット流入口をその上端に備え且つほぼ鉛直方向に延びる鉛直管路と、
この鉛直管路と上記排水配管とを接続し横方向に延びる横管路と、
上記他の機器の排水路に接続され且つ上記横管路が延びる方向とは反対の側に設けられた接続管路流入口と上記横管路の上部壁面に開口した合流出口を備えた接続管路と、
を有することを特徴とする排水ソケット。
【発明の詳細な説明】
【０００１】
【発明の属する技術分野】
本発明は、水洗大便器の排水ソケットに係り、特に水洗大便器からの排水と他の機器の排水路を合流させてこれらの排水路を床面に設けられた排水配管に連通させる水洗大便器の排水ソケットに関する。
【０００２】
【従来の技術】
水洗大便器と手洗い器が併設されているトイレにおいては、水洗大便器からの排水と、手洗い器からの排水を合流させて１本の排水配管に排出することが行われている。この配管方式には、図８に示すような、水洗大便器Ｂからの排水路Ｂ１と、手洗い器（図示せず）からの排水路Ｌ１とを合流させ、排水配管Ｄに排出する排水ソケット１００が使用されている。この配管方式は、特に、既設のトイレに手洗い器を増設するような場合に、手洗い器用の排水配管を新たに立上げ直す必要がないため、便利である。
【０００３】
特開２００３−２７５６３号公報は、水洗大便器と手洗い器とを、Ｌ字形カウンターを介して配置したトイレユニットを記載している。このトイレユニットでは、手洗い器からの排水を流す管路がＬ字形カウンターの中を通って水洗大便器のトラップの下流側の排水ソケットに接続されている。従って、水洗大便器からの排水と手洗い器からの排水は、水洗大便器のトラップの下流で合流され、排水配管から排出される。
【０００４】
【特許文献１】
特開２００３−２７５６３号公報（第７、８図）
【０００５】
【発明が解決しようとする課題】
しかしながら、水洗大便器トラップの下流側管路の構成は、水洗大便器のサイホン作用に関係するため、水洗大便器からの排水と手洗い器からの排水とを合流させる合流出口の位置、形状によっては、サイホン作用を弱める可能性があるという問題がある。これは、水洗大便器からの排水が管路内を流れることにより管路内に負圧が発生すると、手洗い器排水の合流出口から管路内に空気が吸込まれるため、サイホン作用の発生に必要な管路内の水膜の形成が阻害されたり、サイホン作用の持続を阻害される場合があるためである。
【０００６】
また、合流部分の管路の構成によっては、水洗大便器から排出された汚水が合流出口を通って手洗い器排水の管路に逆流するため、手洗い器排水の管路に汚物が堆積し、管路を詰まらせる恐れがあるという問題がある。さらに、水洗大便器からの排水が管路内を流れて管路内に負圧が発生すると、手洗い器と合流出口との間の管路に形成された手洗い器排水のトラップ内の封水が吸い出され、手洗い器の封水が破られる破封を引起こす場合があるという問題がある。
【０００７】
従って、本発明は、サイホン作用が弱められることが少ない排水ソケットを提供することを目的としている。
また、本発明は、水洗大便器から排出された汚物が水洗大便器からの排水と合流する排水路に堆積しにくい排水ソケットを提供することを目的としている。
さらに、本発明は、水洗大便器からの排水に合流された他の機器の排水路に悪影響を与えにくい排水ソケットを提供することを目的としている。
【０００８】
【課題を解決するための手段】
上述した目的を達成するために、本発明は、水洗大便器の排水路と他の機器の排水路を合流させこれらの排水路を床面に設けられた排水配管に連通させる水洗大便器の排水ソケットであって、水洗大便器の排水路に接続されるソケット流入口をその上端に備え且つほぼ鉛直方向に延びる鉛直管路と、この鉛直管路と排水配管とを接続し横方向に延びる横管路と、鉛直管路の周囲に形成され且つ他の機器の排水路に接続される緩衝室流入口と横管路上部に開口した合流出口を備えた緩衝室と、を有することを特徴としている。
【０００９】
上記のように構成された本発明においては、水洗大便器からの排水は、ソケット流入口から流入し、鉛直管路、横管路を通って排水配管に排出される。また、他の機器からの排水は、緩衝室流入口から流入し、緩衝室を通って、合流出口から流出して水洗大便器からの排水と合流し、排水配管に排出される。
このように構成された本発明によれば、他の機器からの排水が、緩衝室を経て水洗大便器からの排水と合流するので、水洗大便器からの排水が鉛直管路及び横管路を流れることによって発生する鉛直管路及び横管路内の圧力低下が、他の機器からの排水路に悪影響を及ぼしにくい。また、合流出口が、横管路上部に開口しているので、水洗大便器から洗浄水と共に排出される汚物が合流出口に堆積し、他の機器の排水路を詰まらせることがない。
【００１０】
また、本発明においては、好ましくは、緩衝室は、その合流出口が、緩衝室流入口よりも低い位置に設けられており、緩衝室の底面が緩衝室流入口から合流出口の方へ傾斜している。
このように構成された本発明においては、緩衝室の底面が傾斜しているので、緩衝室に入った他の機器からの排水は、緩衝室内に滞留することなく合流出口を通って横管路に流出する。
【００１１】
さらに、本発明においては、好ましくは、鉛直管路及び緩衝室は、内径の異なる円筒状の部材による入れ子構造となっている。
このように構成された本発明によれば、比較的容易に製作することができる円筒状の部材を組合せることによって、鉛直管路の周囲に形成された緩衝室を製造することができる。
【００１２】
また、本発明においては、好ましくは、緩衝室は、その緩衝室流入口を横管路が延びる方向とは反対の側に備えている。
このように構成された本発明によれば、他の機器の排水路を接続する緩衝室流入口が、水洗大便器の背面側に開口することになるので、水洗大便器の背面側に設けた切欠等を通して、排水路を容易に接続することができる。
【００１３】
さらに、本発明においては、好ましくは、緩衝室は、その合流出口を、鉛直管路から所定の距離間隔を隔てた位置に備えている。
このように構成された本発明によれば、合流出口が鉛直管路から所定の距離間隔を隔てた位置に形成されているので、水洗大便器内の洗浄水及び汚物を排出するために必要なサイホン作用が、合流出口に接続された緩衝室及び排水路の影響によって阻害されることがない。
【００１４】
また、本発明は、水洗大便器の排水路と他の機器の排水路とを合流させこれらの排水路を床面に設けられた排水配管に連通させる水洗大便器の排水ソケットであって、水洗大便器の排水路に接続されるソケット流入口をその上端に備え且つほぼ鉛直方向に延びる鉛直管路と、この鉛直管路と排水配管とを接続し横方向に延びる横管路と、他の機器の排水路に接続され、且つ横管路が延びる方向とは反対の側に設けられた接続管路流入口と横管路の上部壁面に開口した合流出口を備えた接続管路と、を有することを特徴としている。
【００１５】
このように構成された本発明においては、水洗大便器からの排水は、ソケット流入口から流入し、鉛直管路、横管路を通って排水配管に排出される。また、他の機器からの排水は、接続管路流入口から流入し、接続管路を通って、合流出口から流出して水洗大便器からの排水と合流し、排水配管に排出される。
上記のように構成された本発明によれば、合流出口が、横管路上部に開口しているので、水洗大便器から洗浄水と共に排出される汚物が合流出口に堆積し、他の機器の排水路を詰まらせることがない。
【００１６】
【発明の実施の形態】
次に、添付図面を参照して、本発明の実施形態の排水ソケットを説明する。
まず、図１乃至図４を参照して、本発明の第１実施形態の排水ソケットを説明する。図１は、本発明の第１実施形態の排水ソケットを、タンク式の水洗大便器及び手洗い器に接続した様子を示す図であり、（ａ）は平面図、（ｂ）は側面図である。図２は、本発明の第１実施形態の排水ソケットの全断面図を示す。図３は、図２のｉｉｉ−ｉｉｉ断面図を示す。図４は、本発明の第１実施形態の排水ソケットの平面図を示す。
【００１７】
図１に示すように、本発明の第１実施形態の排水ソケット１は、水洗大便器Ｂの排水路Ｂ１及び手洗い器Ｌの排水路Ｌ１に接続され、それらの排水を床面Ｆに設けられた排水配管Ｄに排出する。
【００１８】
図１乃至図４に示すように、排水ソケット１は、水洗大便器Ｂの排水路Ｂ１に接続される鉛直管路２と、この鉛直管路の下端からほぼ水平方向に延びる横管路４と、鉛直管路２の周囲に形成された緩衝室６と、鉛直管路２を床面Ｆ上に支持、固定する第１脚部８と、横管路４の下流側端部を床面Ｆ上に支持、固定する第２脚部１０と、を有する。
【００１９】
鉛直管路２は、上方に開口したソケット流入口２ａから鉛直下方に延びている。ソケット流入口２ａにはパッキンＰ１が被せられ、水洗大便器Ｂの排水路Ｂ１とソケット流入口２ａとの間の水密性、気密性が確保されている。また、鉛直管路２の下端にはエルボー部２ｂが設けられ、管路がほぼ直角に曲げられている。鉛直管路２の下端には、両側に突出する第１脚部８が設けられている。各第１脚部８の先端部には、各第１脚部８を床面に固定するネジを通すための穴８ａが開けられている。
【００２０】
横管路４は、鉛直管路２のエルボー部２ｂに接続され、ほぼ水平に延びている。横管路４の下流端にはベンド部４ａが設けられ、横管路４を床面Ｆに設けられた排水配管Ｄに接続するようになっている。横管路４の下流端には、ほぼ円形の第２脚部１０が設けられている。第２脚部１０には、第２脚部１０を床面に固定するネジを通すための長穴１０ａが開けられている。好ましくは、横管路４は、長さ調節が可能であるように構成する。
【００２１】
緩衝室６は、円筒状の部材１２を、円筒状の鉛直管路２の周りに同心円状に配置することによって、即ち、鉛直管路２を円筒状の部材１２の中に入れ子構造に配置することによって形成されている。横管路４の反対側の、円筒状の部材１２の下部側面には、入口管部１２ａが形成され、緩衝室６の緩衝室流入口６ａを構成している。また、横管路４側の、円筒状の部材１２の下部には、出口部１２ｂが形成され、緩衝室６の合流出口６ｂを構成している。この合流出口６ｂは、横管路４の上部壁面の、鉛直管路２から間隔を隔てた位置に開口している。本実施形態においては、合流出口６ｂは鉛直管路２から２５ｍｍ離れた位置に形成されている。好ましくは、鉛直管路２と合流出口６ｂの間の距離は５ｍｍ以上とする。また、緩衝室流入口６ａは、合流出口６ｂよりも高い位置にあり、緩衝室６の底面は、緩衝室流入口６ａから合流出口６ｂに向って低くなるように傾斜している。なお、緩衝室６の流路断面積は、排水路Ｌ１の流路断面積よりも広く構成されている。
【００２２】
次に、本発明の第１実施形態の排水ソケット１を用いた水洗大便器の設置方法を説明する。まず、横管路４のベンド部４ａが、床面Ｆに設けられた排水配管Ｄと連通するように、パッキンＰ２を介して排水ソケット１を配置する。次いで、第２脚部１０の長穴１０ａにネジ（図示せず）を通し、第２脚部１０を床面Ｆに仮止めする。更に、横管路４の長さ、及び、排水ソケット１の方向を調整して、鉛直管路２のソケット流入口２ａを所定の位置に位置決めする。次いで、第１脚部８の穴８ａにネジ（図示せず）を通し、第１脚部８を床面Ｆに仮止めする。排水ソケット１の位置、方向を確認した後、長穴１０ａ、穴８ａのネジを締付けて、排水ソケット１を固定する。排水ソケット１と排水配管Ｄとの間の水密性、気密性はパッキンＰ２によって確保される。
【００２３】
次に、手洗い器Ｌの排水路Ｌ１を円筒状の部材１２の入口管部１２ａに接続する。即ち、排水路Ｌ１と緩衝室６の緩衝室流入口６ａが連通される。また、手洗い器Ｌと緩衝室流入口６ａとの間の排水路Ｌ１には、トラップ（図示せず）が形成されている。次に、水洗大便器Ｂの排水路Ｂ１が、鉛直管路２のソケット流入口２ａに挿入されるように、水洗大便器Ｂを床面Ｆに配置する。また、排水ソケット１から手洗い器Ｌへ延びる排水路Ｌ１は、水洗大便器Ｂの背面に形成された切欠部Ｂ２に通される。次いで、水洗大便器Ｂの位置、方向を確認し、水洗大便器Ｂを床面Ｆにネジ止めする。水洗大便器Ｂの排水路Ｂ１と排水ソケット１との間の水密性、気密性は、ソケット流入口２ａに被せられたパッキンＰ１によって確保される。
【００２４】
次に、本発明の第１実施形態の排水ソケット１の作用を説明する。まず、水洗大便器Ｂの便鉢に洗浄水が流れ込んでいない時には、図１に示すように、便鉢内の水位は、水洗大便器Ｂの排水トラップの最高点の高さに維持されている。便鉢内に洗浄水が流れ込むと、便鉢内の洗浄水が排水トラップを越えて排水ソケット１に流入する。排水ソケット１に流入した洗浄水は鉛直管路２を流下し、下端のエルボー部２ｂに当たって跳ね上がる。跳ね上がった洗浄水によって、鉛直管路２の下端部付近に水膜が形成されてサイホン作用が発生し、便鉢内の洗浄水及び汚物が吸引される。本実施形態の排水ソケット１においては、鉛直管路２に充満した洗浄水に作用する引力によって鉛直管路２内及び排水路Ｂ１内に負圧を発生させ、便鉢内の洗浄水及び汚物を吸引するサイホン作用を利用している。従って、鉛直管路２から距離を隔てた位置に合流出口６ｂが設けられていても、サイホン作用に与える影響は非常に少ない。
【００２５】
鉛直管路２を通過した洗浄水は、横管路４の中を流れ、排水配管Ｄへ排出される。横管路４の中を洗浄水が流れると横管路４内の圧力が低下するので、緩衝室６内の空気が合流出口６ｂを通って横管路４の中に吸引される。しかしながら、横管路４内の圧力低下の影響は、大きな容積を有する緩衝室６によって遮断され、緩衝室６に接続された手洗い器Ｌの排水路Ｌ１には殆ど及ばない。従って、手洗い器Ｌと排水ソケット１との間の排水路Ｌ１に形成されたトラップ（図示せず）内の封水が吸い出され、破封の発生が防止される。また、横管路４内を洗浄水と共に流れる汚物の大部分は、横管路４の下側の壁面に沿って流れるので、横管路４の上部壁面に設けられた合流出口６ｂの部分に汚物が堆積することはない。
【００２６】
また、手洗い器Ｌからの排水は、排水路Ｌ１、緩衝室６の緩衝室流入口６ａを通って緩衝室６に流入する。緩衝室６に流入した排水は、図３に示すように２つに分岐され、鉛直管路２と円筒状の部材１２との間を通って、緩衝室６の合流出口６ｂから流出する。合流出口６ｂから横管路４に流入した排水は、排水配管Ｄに排出される。また、緩衝室６の底面には傾斜が付けられているので、緩衝室６に流入した排水は、緩衝室６内に滞留せず、すべて横管路４に流れ込む。
【００２７】
本発明の第１実施形態の排水ソケットによれば、合流出口６ｂが鉛直管路２から距離を隔てた横管路４に設けられているので、他の機器の排水路の合流により排水ソケットのサイホン作用が阻害されることがない。また、本実施形態の排水ソケットによれば、合流出口６ｂが横管路４の上部壁面に設けられているので、排水ソケット内を流れる汚物が他の機器の排水路に逆流して、他の機器の排水路に堆積することがない。さらに、本実施形態の排水ソケットによれば、排水路Ｌ１と横管路４との間に緩衝室６が設けられているので、横管路４内の圧力低下の影響が排水路Ｌ１に及んで、排水路Ｌ１に設けられたトラップの封水を破ることがない。
【００２８】
次に、図５及び図６を参照して、本発明の第２実施形態の排水ソケットを説明する。図５は本発明の第２実施形態の排水ソケットの斜視図であり、図６（ａ）は平面図、（ｂ）は全断面図である。図５及び図６に示すように、本発明の第２実施形態の排水ソケットは。横管路が非常に短い点が、第１実施形態とは異なる。従って、ここでは、第２実施形態の第１実施形態とは異なる点のみを説明する。
【００２９】
図５及び図６に示すように、本発明の第２実施形態の排水ソケット２０は、水洗大便器Ｂの排水路Ｂ１に接続される鉛直管路２２と、この鉛直管路の下端から横方向に延びる横管路２４と、鉛直管路２２の周囲に形成された緩衝室２６と、鉛直管路２２を床面Ｆ上に支持、固定する第１脚部２８と、横管路２４の下流側端部を床面Ｆ上に支持、固定する第２脚部３０と、を有する。
【００３０】
鉛直管路２２は、上方に開口したソケット流入口２２ａと、下端のエルボー部２２ｂとを有し、このソケット流入口２２ａにはパッキンＰが被せられている。鉛直管路２２の下端には、両側に突出するように第１脚部２８が設けられている。横管路２４は、鉛直管路２２のエルボー部２２ｂと一体に形成されている。ベンド部２４ａが横管路２４の下流端に取付けられている。ベンド部２４ａの下流側には、排水配管Ｄに挿入される直管部２４ｂが設けられ、排水配管Ｄと横管路２４とを接続している。ベンド部２４ａの周囲にはほぼ円形の第２脚部３０が形成されている。
【００３１】
緩衝室２６は、円筒状の部材３２を、円筒状の鉛直管路２２の周りに同心円状に配置することによって形成されている。横管路２４の反対側には、入口管部３２ａが形成され、緩衝室２６の緩衝室流入口２６ａを構成している。また、横管路２４側の、円筒状の部材３２の下部には開口部が設けられ、この開口部にベンド部２４ａを構成する部材を被せることによって、合流出口２６ｂが構成される。これにより、合流出口２６ｂは、鉛直管路２２から間隔を隔てた横管路２４の上部に位置することになる。また、緩衝室流入口２６ａは、合流出口２６ｂよりも高い位置にあり、緩衝室２６の底面は、緩衝室流入口２６ａから合流出口２６ｂの方へ低くなるように傾斜している。
【００３２】
本発明の第２実施形態の排水ソケット２０の設置方法は、第１実施形態と同様である。第２実施形態の排水ソケット２０は、水洗大便器Ｂの排水路Ｂ１と、排水配管Ｄとの間の水平方向距離が近い場合に適用することができる。
また、本発明の第２実施形態の排水ソケット２０の作用も、第１実施形態と同様である。緩衝室２６の合流出口２６ｂが鉛直管路２２から所定距離間隔を隔てて設けられているので、緩衝室２６及びそれに接続された排水路Ｌ１によって、排水ソケット３０のサイホン作用を阻害することがない。また、合流出口２６ｂが横管路２４の上部に位置するので、排水ソケット３０を流れる汚物が逆流して、緩衝室２６や排水路Ｌ１に堆積することがない。さらに、合流出口２６ｂと排水路Ｌ１との間に緩衝室２６が設けられているので、横管路２４の圧力の低下が排水路Ｌ１に及ぶことがない。
【００３３】
次に、図７を参照して、本発明の第３実施形態の排水ソケットを説明する。図７は、本発明の第３実施形態の排水ソケットを水洗大便器に取付けた様子を示す図であり、（ａ）は平面図、（ｂ）は正面図、（ｃ）は側面図を示す。本発明の第３実施形態の排水ソケットは、手洗い器の排水路Ｌ１が、接続管路によって横管路に接続されている点が、第１、第２実施形態と異なる。従って、ここでは、本発明の第３実施形態の排水ソケットの第１、第２実施形態とは異なる点のみを説明する。
【００３４】
図７に示すように、本発明の第３実施形態の排水ソケット４０は、水洗大便器Ｂの排水路Ｂ１に接続される鉛直管路４２と、この鉛直管路の下端からほぼ水平方向に延びる横管路４４と、鉛直管路４２の側面を通って横管路４４に合流する接続管路４６と、鉛直管路４２を床面Ｆ上に支持、固定する第１脚部４８と、横管路４４の下流側端部を床面Ｆ上に支持、固定する第２脚部５０と、を有する。
【００３５】
鉛直管路４２は、上方に開口したソケット流入口４２ａと、下端のエルボー部４２ｂとを有し、このソケット流入口４２ａにはパッキン（図示せず）が被せられている。鉛直管路４２の下端には、両側に突出するように第１脚部４８が設けられている。横管路４４は、鉛直管路４２のエルボー部４２ｂに接続されている。ベンド部４４ａが横管路４４の下流端に設けられ、排水配管Ｄと横管路４４とを接続している。ベンド部４４ａの周囲にはほぼ円形の第２脚部５０が形成されている。接続管路４６は、水洗大便器Ｂの背面側に取付けられた接続管路流入口４６ａから、鉛直管路４２の一方の側面を迂回して、横管路４４の上部壁面に開口した合流出口４６ｂまで延びるように構成されている。
【００３６】
本実施形態の排水ソケット４０の設置方法は、第１、第２実施形態の排水ソケットの設置法方と同様である。
次に、本発明の第３実施形態の排水ソケット４０の作用を説明する。水洗大便器Ｂの便鉢内に洗浄水が流れ込むと、便鉢内の洗浄水が排水トラップを越えて排水ソケット４０に流入する。排水ソケット４０に流入した洗浄水は鉛直管路４２を流下し、下端のエルボー部４２ｂに当たって跳ね上がり、サイホン作用が発生する。サイホン作用によって排水ソケット４０に引込まれた洗浄水及び汚物は、横管路４４を通って排水配管Ｄへ排出される。本実施形態の排水ソケット４０においては、鉛直管路４２から距離を隔てた位置に接続管路４６の合流出口４６ｂが設けられているので、接続管路４６及びそれに接続された排水路Ｌ１がサイホン作用に与える影響は非常に少ない。また、横管路４４内を洗浄水と共に流れる汚物の大部分は、横管路４４の下側の壁面に沿って流れるので、横管路４４の上部壁面に設けられた合流出口４６ｂの部分に汚物が堆積することはない。
【００３７】
また、手洗い器Ｌからの排水は、排水路Ｌ１、接続管路流入口４６ａを通って接続管路４６に流入する。接続管路４６に流入した排水は、接続管路４６の中を通って合流出口４６ｂから流出する。合流出口４６ｂから横管路４４に流入した排水は、排水配管Ｄに排出される。
【００３８】
以上、本発明の好ましい実施形態を説明したが、上述した実施形態に種々の変更を加えることができる。特に、上述した実施形態では、水洗大便器からの排水と手洗い器からの排水を合流させる排水ソケットについて説明したが、本発明は、水洗大便器からの排水と、水洗大便器以外の任意の排水とを合流させる排水ソケットに適用することができる。
【００３９】
【発明の効果】
本発明の排水ソケットによれば、水洗大便器からの排水に他の機器の排水を合流させることによりサイホン作用が弱められることが少ない。
また、本発明によれば、水洗大便器から排出された汚物が、水洗大便器からの排水と合流する排水路に堆積しにくい排水ソケットを提供することができる。
さらに、本発明の排水ソケットによれば、水洗大便器からの排水に合流された、他の機器の排水路に悪影響を与えにくい。
【図面の簡単な説明】
【図１】本発明の第１実施形態の排水ソケットを、タンク式の水洗大便器及び手洗い器に接続した様子を示す図であり、（ａ）は平面図、（ｂ）は側面図を示す。
【図２】本発明の第１実施形態の排水ソケットの全断面図を示す。
【図３】図２のｉｉｉ−ｉｉｉ断面図を示す。
【図４】本発明の第１実施形態の排水ソケットの平面図を示す。
【図５】本発明の第２実施形態の排水ソケットの斜視図を示す。
【図６】本発明の第２実施形態の排水ソケットを示す図であり、（ａ）は平面図、（ｂ）は全断面図を示す。
【図７】本発明の第３実施形態の排水ソケットを水洗大便器に取付けた様子を示す図であり、（ａ）は平面図、（ｂ）は正面図、（ｃ）は側面図を示す。
【図８】水洗大便器からの排水路と、手洗い器からの排水路とを合流させ、排水配管に排出する従来の排水ソケットを示す図である。
【符号の説明】
Ｂ      水洗大便器
Ｂ１    排水路
Ｄ      排水配管
Ｆ      床面
Ｌ      手洗い器
Ｌ１    排水路
Ｐ１    パッキン
Ｐ２    パッキン
１      本発明の第１実施形態の排水ソケット
２      鉛直管路
２ａ    ソケット流入口
２ｂ    エルボー部
４      横管路
６      緩衝室
６ａ    緩衝室流入口
６ｂ    合流出口
８      第１脚部
１０    第２脚部
１２    円筒状の部材
２０    本発明の第２実施形態の排水ソケット
２２    鉛直管路
２４    横管路
２６    緩衝室
２８    第１脚部
３０    第２脚部
３２    円筒状の部材
４０    本発明の第３実施形態の排水ソケット
４２    鉛直管路
４４    横管路
４６    接続管路
４８    第１脚部
５０    第２脚部
【図１】
2005048402.tif 000003
【図２】
2005048402.tif 000004
【図３】
2005048402.tif 000005
【図４】
2005048402.tif 000006
【図５】
2005048402.tif 000007
【図６】
2005048402.tif 000008
【図７】
2005048402.tif 000009
【図８】
2005048402.tif 000010